【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ドアロック機構、ウインドレギュレータ、シートレール、及びサンルーフの各自動車部品に適用される異物除去潤滑組成物であって、
フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有することを特徴とする異物除去潤滑組成物。
【請求項２】
下記一般式（１）又は（２）で表される前記フルオロポリエーテル含有化合物を含有することを特徴とする請求項１に記載の異物除去潤滑組成物。
【化１】
2017155121.tif 000001
【化２】
2017155121.tif 000002
ここで、ｍ＋ｎ＝３〜５００、ｍ：ｎ=１０〜９０：９０〜１０、Ｘは、一方或いは両方が前記官能基であり、一方の末端に官能基Ｘがつく場合、反対側のＸはフッ素（Ｆ）であり、前記官能基は、カルボキシレート、アルキルアミド、カルボキシレートトリエタノールアミン、ジニトロベンゼン、アルコール、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備える。
【請求項３】
フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有し、
前記官能基は、カルボキシレート、アルキルアミド、カルボキシレートトリエタノールアミン、ジニトロベンゼン、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備えることを特徴とする異物除去潤滑組成物。
【請求項４】
フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有し、
下記一般式（１）又は（２）で表される前記フルオロポリエーテル含有化合物を含有することを特徴とする異物除去潤滑組成物。
【化３】
2017155121.tif 000003
【化４】
2017155121.tif 000004
ここで、ｍ＋ｎ＝３〜５００、ｍ：ｎ=１０〜９０：９０〜１０、Ｘは、一方或いは両方が前記官能基であり、一方の末端に官能基Ｘがつく場合、反対側のＸはフッ素（Ｆ）であり、前記官能基は、カルボキシレート、アルキルアミド、カルボキシレートトリエタノールアミン、ジニトロベンゼン、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備える。
【請求項５】
前記フルオロポリエーテル含有化合物は、前記異物除去潤滑組成物を１００重量部としたとき、０．０１重量部以上１０重量部以下の範囲で含有されることを特徴とする請求項１から請求項４のいずれかに記載の異物除去潤滑組成物。
【請求項６】
前記潤滑成分として、鉱物油、合成炭化水素油、ジエステル油、ポリオールエステル油、エーテル油、グリコール油、シリコーン油、及び、フッ素油のうち、少なくともいずれか１種から選択されることを特徴とする請求項１から請求項５のいずれかに記載の異物除去潤滑組成物。
【請求項７】
前記グリースに含まれる増ちょう剤は、リチウム石けん、カルシウム石けん、ナトリウム石けん、アルミニウム石けん、リチウム複合石けん、カルシウム複合石けん、アルミニウム複合石けん、ウレア化合物、有機化ベントナイト、ポリテトラフルオロエチレン、シリカゲル、ナトリウムテレフタラメートのうち、少なくともいずれか１種から選択されることを特徴とする請求項１から請求項６のいずれかに記載の異物除去潤滑組成物。
【請求項８】
前記フルオロポリエーテル含有化合物と、前記潤滑油とを含む前記異物除去潤滑組成物に対し、ＪＩＳ  Ｚ  ８９０１に定められた、少なくとも７種或いは８種を備えた異物を加えた場合に、前記異物の沈降が観測されることを特徴とする請求項１から請求項７のいずれかに記載の異物除去潤滑組成物。
【請求項９】
前記フルオロポリエーテル含有化合物と、前記グリースの潤滑成分とを含む前記異物除去潤滑組成物に対し、ＪＩＳ  Ｚ  ８９０１に定められた少なくとも、１種或いは２種を備えた異物を加えて測定した摩擦係数は、前記フルオロポリエーテル含有化合物を含まず、前記異物を加えた潤滑組成物の摩擦係数に比べて小さいことを特徴とする請求項１から請求項７のいずれかに記載の異物除去潤滑組成物。
【請求項１０】
前記フルオロポリエーテル含有化合物と、前記グリースの潤滑成分とを含む前記異物除去潤滑組成物に対し、ＪＩＳ  Ｚ  ８９０１に定められた、少なくとも１種或いは２種を備えた異物を加えて測定した初期時の摩擦係数をμ１、前記異物を加えずに測定した初期時の摩擦係数をμ０としたとき、｛（μ１−μ０）／μ０｝×１００で示される前記摩擦係数の変化率（％）は、４０％未満であることを特徴とする請求項１から請求項７、或いは、請求項９のいずれかに記載の異物除去潤滑組成物。
【請求項１１】
請求項１から請求項１０のいずれかに記載の前記異物除去潤滑組成物が、塵埃を含む環境下に置かれることを特徴とする異物除去潤滑組成物。
【請求項１２】
前記塵埃は、前記異物除去潤滑組成物の５０％以下の体積比率とされることを特徴とする請求項１１に記載の異物除去潤滑組成物。
【請求項１３】
前記塵埃には、ＳｉＯ２が主成分として含まれることを特徴とする請求項１１又は請求項１２に記載の異物除去潤滑組成物。
【請求項１４】
請求項１から請求項１０のいずれかに記載の前記異物除去潤滑組成物を塗布した部材が、塵埃を含む環境下に置かれることを特徴とする異物除去潤滑組成物の塗布部材。
【請求項１５】
請求項１から請求項１０のいずれかに記載の前記異物除去潤滑組成物を塗布した部材が、塵埃を含む環境下にて使用されることを特徴とする異物除去潤滑組成物の使用方法。
【手続補正２】
【補正対象書類名】明細書
【補正対象項目名】０００８
【補正方法】変更
【補正の内容】
【０００８】
本発明における異物除去潤滑組成物は、ドアロック機構、ウインドレギュレータ、シートレール、及びサンルーフの各自動車部品に適用される異物除去潤滑組成物であって、フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有することを特徴とする。
【手続補正３】
【補正対象書類名】明細書
【補正対象項目名】００１２
【補正方法】変更
【補正の内容】
【００１２】
【化２】
2017155121.tif 000005
ここで、ｍ＋ｎ＝３〜５００、ｍ：ｎ=１０〜９０：９０〜１０、Ｘは、一方或いは両方が前記官能基であり、一方の末端に官能基Ｘがつく場合、反対側のＸはフッ素（Ｆ）であり、前記官能基は、カルボキシレート、アルキルアミド、カルボキシレートトリエタノールアミン、ジニトロベンゼン、アルコール、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備える。
【手続補正４】
【補正対象書類名】明細書
【補正対象項目名】００１３
【補正方法】変更
【補正の内容】
【００１３】
また、本発明における異物除去潤滑組成物は、フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有し、前記官能基は、カルボキシレート、アルキルアミド、カルボキシレートトリエタノールアミン、ジニトロベンゼン、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備えることを特徴とする。
或いは、本発明における異物除去潤滑組成物は、フルオロポリエーテル含有化合物と、潤滑油或いはグリースの潤滑成分と、を含み、前記フルオロポリエーテル含有化合物は、フッ素原子よりも、前記潤滑成分への親和性が高い官能基を有し、下記一般式（１）又は（２）で表される前記フルオロポリエーテル含有化合物を含有することを特徴とする。
【化３】
2017155121.tif 000006
【化４】
2017155121.tif 000007
ここで、ｍ＋ｎ＝３〜５００、ｍ：ｎ=１０〜９０：９０〜１０、Ｘは、一方或いは両方が前記官能基であり、一方の末端に官能基Ｘがつく場合、反対側のＸはフッ素（Ｆ）であり、前記官能基は、カルボキシレート、アルキルアミド、カルボキシレートトリエタノールアミン、ジニトロベンゼン、メチルエステル、エトキシル化アルコール、アルキルアミド、ポリアミド、アルコキシシラン、ホスフェート、ウレタンメタクリレート、及び、ウレタンアルキレートのうち、少なくともいずれか１種を備える。